(57)【要約】【課題】盗難防止用のタグが底についているカメラを安定した形で設置できるカメラ置台を提供する。【解決手段】カメラ置台１００は、レンズ鏡筒１０ａがカメラ本体１０ｂに装着された状態のカメラ１０を設置するのに用いられ、底部１１に立設すると共に、レンズ鏡筒１０ａを支持するための切欠き部１２ａをその上部に有する前面板部１２と、底部１１に立設するカメラ本体１０ｂを支持する一対の底上板部１３ａ，１３ｂとを備える。底上板部１３ａ，１３ｂは、底上板部１３ａ，１３ｂのカメラ本体１０ｂと接触するカメラ本体接触部と、切欠き部１２ａのレンズ鏡筒１０ａと接触するレンズ鏡筒接触部との間隔が、レンズ鏡筒１０ａを装着した状態におけるレンズ鏡筒部１０ａの長さを含んだカメラ１０の奥行きより狭く、且つ、カメラ本体接触部相互の間隔が、カメラ本体１０ｂの幅より狭い間隔で離間するように底部１１上に配置されている。【選択図】図１
2007236635.tif 000002
【特許請求の範囲】
【請求項１】
レンズ鏡筒部を有するカメラを設置するカメラ置台において、
前記カメラ置台は、底部と、前記底部に立設すると共に、前記レンズ鏡筒部を支持するための切欠き部をその上部に有する第１の板部と、前記底部に立設する前記カメラ本体を支持する一対の突部とを備え、
前記一対の突部は、前記一対の突部の前記カメラ本体と接触するカメラ本体接触部と、前記切欠き部の前記レンズ鏡筒部と接触するレンズ鏡筒接触部との間隔が、前記レンズ鏡筒部を装着した状態における前記レンズ鏡筒部の長さを含んだ前記カメラの奥行きより狭く、且つ、前記カメラ本体接触部相互の間隔が、前記カメラ本体の幅より狭い間隔で離間するように前記底部上に配置されていることを特徴とするカメラ置台。
【請求項２】
前記切欠き部は、円弧型であって、前記一対の突部は、前記切欠き部の中央点を含む前記第１の板部と垂直な平面に対して両側に配置されていることを特徴とする請求項１記載のカメラ置台。
【請求項３】
前記切欠き部を構成する円弧は、前記レンズ鏡筒の外周の最小半径以上でその最大半径以下である半径を有することを特徴とする請求項２記載のカメラ置台。
【請求項４】
前記第１の板部は、鉛直方向に対して前記一対の突部側に傾斜しており、前記一対突部の上部は、前記第１の板部側が高い斜め形状を有することを特徴とする請求項１乃至３のいずれか１項に記載のカメラ置台。
【請求項５】
前記底部に立設する第２の板部をさらに備えることを特徴とする請求項１乃至４のいずれか１項に記載のカメラ置台。
【請求項６】
前記第２の板部は、鉛直方向に対して前記第１の板部と同じ側に傾斜することを特徴とする請求項５記載のカメラ置台。
【請求項７】
前記突部は、前記板部と鉛直且つ前記底部に垂直方向に立設する板状であることを特徴とする請求項１乃至６のいずれか１項に記載のカメラ置台。
【発明の詳細な説明】
【技術分野】
【０００１】
本発明は、カメラ置台に関し、特に焦点距離２０〜１００ｍｍ程度の標準的なズームレンズを有するレンズ鏡筒を付けた状態で一眼レフカメラ本体を設置するレンズ置台に関する。
【背景技術】
【０００２】
従来、焦点距離２０〜１００ｍｍ程度の標準的なズームレンズを有するレンズ鏡筒を付けた状態で一眼レフカメラ本体を小売店等で展示する際、図３に示すような台の上に置くという方法が用いられている。
【発明の開示】
【発明が解決しようとする課題】
【０００３】
しかし、展示中の上記カメラは盗難防止のため、その底部に外れるとブザーが鳴るように設定されたタグがつけられている。このため、従来の展示品はその底にあるタグが台に当たり不安定な形でしか置くことができなかった。
【０００４】
本発明の目的は、盗難防止用のタグが底についているカメラを安定した形で設置できるカメラ置台を提供することにある。
【課題を解決するための手段】
【０００５】
上記目的を達成するために、請求項１記載のカメラ置台は、レンズ鏡筒部を有するカメラを設置するカメラ置台において、前記カメラ置台は、底部と、前記底部に立設すると共に、前記レンズ鏡筒部を支持するための切欠き部をその上部に有する第１の板部と、前記底部に立設する前記カメラ本体を支持する一対の突部とを備え、前記一対の突部は、前記一対の突部の前記カメラ本体と接触するカメラ本体接触部と、前記切欠き部の前記レンズ鏡筒部と接触するレンズ鏡筒接触部との間隔が、前記レンズ鏡筒部を装着した状態における前記レンズ鏡筒部の長さを含んだ前記カメラの奥行きより狭く、且つ、前記カメラ本体接触部相互の間隔が、前記カメラ本体の幅より狭い間隔で離間するように前記底部上に配置されていることを特徴とする。
【発明の効果】
【０００６】
本発明によれば、盗難防止用のタグが底についているカメラを安定した形で設置できる。
【発明を実施するための最良の形態】
【０００７】
以下、本発明の実施の形態を図面を用いて詳述する。
【０００８】
図１は、本発明の実施の形態に係るカメラ置台を概略的に示す図であり、（ａ）は斜視図、（ｂ）は（ａ）の線ｂ−ｂに沿う断面図である。
【０００９】
図１において、カメラ置台１００は、焦点距離を２９〜８８ｍｍの間で変更可能なズームレンズを有するレンズ鏡筒１０ａが一眼レフカメラ本体（以下単に「カメラ本体」という。）１０ｂに装着された状態のカメラ１０（いずれも不図示）を設置するのに用いられる無色透明なアクリルから成る。なお、本実施の形態においては、カメラ置台１００に置くレンズ鏡筒１０ａおよびカメラ本体１０ｂとして、上記ズームレンズを有する長さ６６ｍｍのレンズ鏡筒および、幅１２６．５ｍｍ、高さ９４．２ｍｍ、奥行６４ｍｍのカメラ本体を例に説明するが、このレンズ鏡筒およびカメラ本体に限られるものではない。
【００１０】
具体的には、カメラ置台１００は、図１（ａ）に示すように、１００ｍｍの長さの辺１１ａ及びこれに垂直な１３７ｍｍの長さの辺１１ｂとを有する長方形の部材からなる底部１１を備える。また、カメラ置台１００は、底部１１の辺１１ｂに立設すると共に、円弧型の切欠き部１２ａをその上部に有する前面板部１２と、前面板部１２と垂直且つ底部１１に鉛直方向に立設すると共に、カメラ本体１０ｂの幅（１２６．５ｍｍ）より狭い間隔（９５ｍｍ）で離間した同一形状の一対の底上板部１３ａ，１３ｂとを備える。さらに、カメラ置台１００は、辺１１ｂに対向する底部１１の辺１１ｃに立設する後面板部１４を備える。なお、本実施の形態においては、切欠き部を円弧型としているが、レンズ鏡筒１０ａを支えることができる形状であればこれに限られるものではなく、例えば、三角形、四角形、その他の形状であってもよい。
【００１１】
ここで、前面板部１２に対する底上板部１３ａ，１３ｂの各遠点１３ｃ，１３ｄは、辺１１ｃ上にある。しかし、前面板部１２と上記各遠点１３ｃ，１３ｄとの間隔が、６６ｍｍの長さを有するレンズ鏡筒１０ａを６４ｍｍの奥行きを有するカメラ本体１０ｂに装着した際の奥行きより短く、そのカメラ本体１０ｂの奥行き（６４ｍｍ）より長ければ、本実施の形態の位置に限定されない。このような構成とすることにより、レンズ鏡筒１０ａの一部がカメラ置台１００から突き出た状態で、カメラ１０をカメラ置台１００に設置することができる。なお、カメラ１０をカメラ置台１００に設置した際、カメラ本体１０ｂと底上板部１３ａ，１３ｂが接触する接触部（本実施の形態においては、底上板部１３ａ,１３ｂの上部）と、レンズ鏡筒１０ａと前面板部１２が接触する接触部（本実施の形態においては、切欠き部１２ａ）との間隔は、カメラ１０を確実に底上げするため、少なくとも６６ｍｍの長さを有するレンズ鏡筒１０ａを６４ｍｍの奥行きを有するカメラ本体１０ｂに装着した際の全体の奥行きより短い。  前面板部１２の切欠き部１２ａの中央点１２ｂを含み且つ前面板部１２に対して垂直な（ａ）の線ｂ−ｂに沿う断面は、辺１１ａから４５ｍｍ離れた位置にある。なお、切欠き部１２ａが楕円の場合、中央点１２ｂは、長軸と短軸との交点となる。
【００１２】
また、底上板部１３ａは辺１１ａから１０４ｍｍ離れた位置に、底上板部１３ｂは辺１１ａから９ｍｍ離れた位置にある。しかし、底上板部１３ａ，１３ｂが上記線ｂ−ｂに沿う断面に対して両側に配置されていれば本実施の形態に限定されるわけでない。これにより、カメラ１０をカメラ置台１００に設定されたときに、カメラ本体１０ｂの底部を底上板部１３ａ，１３ｂにより確実に底上げすることができる。また、この結果、図２に示すように、カメラ本体１０ｂの底部に盗難防止用のタグ１０ｃがついている場合であっても、タグ１０ｃが底部１１に当たることがなくなり、カメラ１０をカメラ置台１００に安定した形で設置できる。
【００１３】
従って、より具体的には、底上板部１３ａ，１３ｂは、カメラ１０がカメラ置台１００に設置されたときにその上面がタグ１０ｃに当たらない位置に設定される。
【００１４】
なお、本実施の形態において、底上板部１３ａ，１３ｂは、前面板部１２と垂直且つ底部１１に鉛直方向に立設する構成となっているがこれに限定されるものではなく、カメラ本体１０ｂと底上板部１３ａ，１３ｂが接触する接触部（本実施の形態においては、底上板部１３ａ,１３ｂの上部）相互の間隔がカメラ本体１０ｂの幅（１２６．５ｍｍ）より短くなるように離間して立設する構成であればよい。このような構成をとることでカメラ本体１０ｂの底部を底上板部１３ａ，１３ｂにより確実に底上げすることができる。  また、切欠き部１２ａを構成する円弧は、レンズ鏡筒１０ａの外周の最小半径より大きく、最大半径以上である半径を有する。これにより、カメラ１０がカメラ置台１００に設置されたときに、切欠き部１２ａがレンズ鏡筒１０ａを確実に保持することができる。
【００１５】
前面板部１２は、図１（ｂ）に示すように、鉛直方向に対して１７．５度（θ１）だけ底上板部１３ａ，１３ｂ側に傾斜しており、底上板部１３ａ，１３ｂの上部は、前面板部１２側が１７．５度（θ２）だけ高い斜め形状を有する。これにより、図２に示すように、カメラ置台１００に設置されたカメラ１０は、その受光部側が水平方向に対して１７．５度の角度（θ３）だけ上を向くような形となる。
【００１６】
このように、カメラ置台１００にカメラ１０を完全に水平でなく、若干斜めとなるように設置する。これにより、レンズ鏡筒１０ａ内のレンズの状態を、レンズ置台１００に設置された状態のままでユーザが容易に確認することができる。
【００１７】
また、後面板部１４は、図１（ｂ）に示すように、辺１１ｃに鉛直方向に対して前面板部１２と同じ側により大きく３７．５度（θ４）の角度で傾斜する。これにより、カメラ置台１００は、設置されたカメラ１０をそのカメラ本体１０ｂの背面から確実に保持することができる。
【００１８】
なお、本実施の形態において、カメラ本体１０ｂの底部を底上げする部材として底上板部１３ａ，１３ｂを例としたが、カメラ本体１０ｂの底部を底上げすることができる底部１１から突起した部材であれば、板状の部材に限られない（例えば円柱状の部材など）。
【００１９】
また、後面板部１４は、前面板部１２と同じ側に傾斜する必要は必ずしもなく、カメラ置台１００にカメラ１０を斜めに設置する場合に、底上板部１３ａ，１３ｂからカメラ１０が滑落することを防止することができる構成であればよい。
【００２０】
また、不図示のゴムを切欠き部１２ａの表面に装着するようにしてもよい。これにより、レンズ鏡筒１０ａの外周が切欠き部１２ａで保持されることにより傷つくのを防止することができる。
【図面の簡単な説明】
【００２１】
【図１】本発明の実施の形態に係るカメラ置台を概略的に示す図であり、（ａ）は斜視図、（ｂ）は（ａ）の線ｂ−ｂに沿う断面図である。
【図２】図１のカメラ置台にレンズ鏡筒付き一眼レフカメラ本体を設置した状態を示す図である。
【図３】従来の標準的なズームレンズを有するレンズ鏡筒付き一眼レフカメラ本体が設置されるカメラ置台を示す図である。
【符号の説明】
【００２２】
１００  カメラ置台
１０ａ  レンズ鏡筒
１０ｂ  一眼レフカメラ本体
１１  底部
１１ａ，１１ｂ，１１ｃ  辺
１２  前面板部
１２ａ  切欠き部
１２ｂ  中央点
１３ａ，１３ｂ  底上板部
１４  後面板部
【図１】
2007236635.tif 000003
【図２】
2007236635.tif 000004
【図３】
2007236635.tif 000005